(57)【要約】【課題】  サーバを用いず地域情報を所定の地域において維持することを可能とする。【解決手段】  ある端末から他の端末にピアツーピア通信により情報を送信し、該他の端末が更に他の端末にピアツーピア通信により前記情報を送信することを所定の地域内において繰り返す。また、送信元の端末から送信先の端末に対し、情報の送信の要否を問い合わせたならば、送信先の端末は、情報の種類が必要とする情報の種類か否か、その情報の発信元の地域識別情報が現在位置の地域識別情報と合致するか否か、及び、すでにその情報を受信したか否かに基づいて、情報の送信の要否を判断し、送信必要又は送信不要の返信をする。【選択図】        図１
2006270807.tif 000002
【特許請求の範囲】
【請求項１】
ある端末から他の端末にピアツーピア通信により情報を送信し、該他の端末が更に他の端末にピアツーピア通信により前記情報を送信することを所定の地域内において繰り返すことを特徴とするピアツーピア通信を利用した地域内における情報の維持方法。
【請求項２】
請求項１に記載の情報の維持方法において、
前記情報の送信前に、送信元の端末は、送信先の端末に対し、送信要否の問合せをし、
前記送信先の端末は、送信されようとしている情報の種類を表す概念情報が自端末が受信を希望する情報の種類を表す概念情報と合致しない場合には、前記送信元の端末に対し、送信不要の応答を返し、
前記送信元の端末は、前記送信不要の応答が返ってきた場合には、前記情報の送信を行わないことを特徴とする情報の維持方法。
【請求項３】
請求項１に記載の情報の維持方法において、
前記情報の送信前に、送信元の端末は、送信先の端末に対し、送信要否の問合せをし、
前記送信先の端末は、送信されようとしている情報の発信元を表す地域識別情報が自端末が存在する場所を表す地域識別情報と合致しない場合には、前記送信元の端末に対し、送信不要の応答を返し、
前記送信元の端末は、前記送信不要の応答が返ってきた場合には、前記情報の送信を行わないことを特徴とする情報の維持方法。
【請求項４】
請求項１に記載の情報の維持方法において、
前記情報の送信前に、送信元の端末は、送信先の端末に対し、送信要否の問合せをし、
前記送信先の端末は、送信されようとしている情報が既に受信したものである場合には、前記送信元の端末に対し、送信不要の応答を返し、
前記送信元の端末は、前記送信不要の応答が返ってきた場合には、前記情報の送信を行わないことを特徴とする情報の維持方法。
【請求項５】
請求項１に記載の情報の維持方法において、
情報を保持する端末は、自端末が保持する情報の発信元を表す地域識別情報が自端末が存在する場所を表す地域識別情報と合致しなくなった場合には、その情報を削除することを特徴とする情報の維持方法。
【請求項６】
請求項１に記載の情報の維持方法において、
情報を保持する端末は、複数の情報を受信し、情報の総容量が所定量を超えた場合には、情報の発生日時が古い順、情報の重要度が低い順又はそれらに基づいた評価量が低い順に情報を削除することにより、情報の総容量を前記所定量以下にすることを特徴とする情報の維持方法。
【請求項７】
請求項１に記載の情報の維持方法において、
前記端末には、移動端末が含まれることを特徴とする情報の維持方法。
【請求項８】
請求項７に記載の情報の維持方法において、
前記端末には、固定端末も含まれ、
前記固定端末は、受信した情報を複数地域の情報を一括する装置に送信することを特徴とする情報の維持方法。
【請求項９】
請求項７に記載の情報の維持方法において、
前記端末には、固定端末も含まれ、
前記固定端末は、複数地域の情報を一括する装置から自端末が属する地域の情報を受信し、その情報を地域内の他の端末に送信することを特徴とする情報の維持方法。
【請求項１０】
ある端末から他の端末にピアツーピア通信により情報を送信し、該他の端末が更に他の端末にピアツーピア通信により前記情報を送信することを所定の地域内において繰り返すことを特徴とするピアツーピア通信を利用した地域内における情報の維持システム。
【請求項１１】
請求項１０に記載の情報の維持システムにおいて、
前記情報の送信前に、送信元の端末は、送信先の端末に対し、送信要否の問合せをし、
前記送信先の端末は、送信されようとしている情報の種類を表す概念情報が自端末が受信を希望する情報の種類を表す概念情報と合致しない場合には、前記送信元の端末に対し、送信不要の応答を返し、
前記送信元の端末は、前記送信不要の応答が返ってきた場合には、前記情報の送信を行わないことを特徴とする情報の維持システム。
【請求項１２】
請求項１０に記載の情報の維持システムにおいて、
前記情報の送信前に、送信元の端末は、送信先の端末に対し、送信要否の問合せをし、
前記送信先の端末は、送信されようとしている情報の発信元を表す地域識別情報が自端末が存在する場所を表す地域識別情報と合致しない場合には、前記送信元の端末に対し、送信不要の応答を返し、
前記送信元の端末は、前記送信不要の応答が返ってきた場合には、前記情報の送信を行わないことを特徴とする情報の維持システム。
【請求項１３】
請求項１０に記載の情報の維持システムにおいて、
前記情報の送信前に、送信元の端末は、送信先の端末に対し、送信要否の問合せをし、
前記送信先の端末は、送信されようとしている情報が既に受信したものである場合には、前記送信元の端末に対し、送信不要の応答を返し、
前記送信元の端末は、前記送信不要の応答が返ってきた場合には、前記情報の送信を行わないことを特徴とする情報の維持システム。
【請求項１４】
請求項１０に記載の情報の維持システムにおいて、
情報を保持する端末は、自端末が保持する情報の発信元を表す地域識別情報が自端末が存在する場所を表す地域識別情報と合致しなくなった場合には、その情報を削除することを特徴とする情報の維持システム。
【請求項１５】
請求項１０に記載の情報の維持システムにおいて、
情報を保持する端末は、複数の情報を受信し、情報の総容量が所定量を超えた場合には、情報の発生日時が古い順、情報の重要度が低い順又はそれらに基づいた評価量が低い順に情報を削除することにより、情報の総容量を前記所定量以下にすることを特徴とする情報の維持システム。
【請求項１６】
請求項１０に記載の情報の維持システムにおいて、
前記端末には、移動端末が含まれることを特徴とする情報の維持システム。
【請求項１７】
請求項１６に記載の情報の維持システムにおいて、
前記端末には、固定端末も含まれ、
前記固定端末は、受信した情報を複数地域の情報を一括する装置に送信することを特徴とする情報の維持システム。
【請求項１８】
請求項１６に記載の情報の維持システムにおいて、
前記端末には、固定端末も含まれ、
前記固定端末は、複数地域の情報を一括する装置から自端末が属する地域の情報を受信し、その情報を地域内の他の端末に送信することを特徴とする情報の維持システム。
【発明の詳細な説明】
【技術分野】
【０００１】
本発明は、ピアツーピア通信を利用して、所定の地域内においてその地域の情報を維持するための方法及びそのシステムに関する。
【背景技術】
【０００２】
地域で発生する情報を、収集し、保持し、配信するには、その地域の複数の端末から情報をサーバシステムに送信し、サーバシステムが情報を保持し、サーバシステムからその地域の端末に情報を配信する方法が用いられ、常にサーバシステムを利用する必要があった。サーバシステムは多数の地域の情報を、収集し、保持し、配信する為、大規模なシステムの構築が必要となってしまう。地域に情報を配信する場合には、地域全域をカバーする無線基地局や地域通信ネットワークが必要となり、提供する情報の収集・配信から設備構築から運用維持まで、様々なコストが発生する課題があった。
【０００３】
一方、ピアツーピア通信を利用した情報の授受方法がある（例えば、特許文献１参照。）。
【特許文献１】特開２００４−３１２３３１号公報
【発明の開示】
【発明が解決しようとする課題】
【０００４】
しかし、特許文献１に記載された発明によると、サーバが必要となる。
【０００５】
また、１対１のピアツーピア通信を行うが、それを連鎖的に行うことはないので、特許文献１に記載された発明に従って、地域情報を所定の地域において維持することはできない。
【０００６】
そこで、本発明は、サーバを用いず地域情報を所定の地域において維持することを可能とするピアツーピア通信を利用した地域情報の維持方法及びそのシステムを提供することを目的とする。
【課題を解決するための手段】
【０００７】
本発明によれば、ある端末から他の端末にピアツーピア通信により情報を送信し、該他の端末が更に他の端末にピアツーピア通信により前記情報を送信することを所定の地域内において繰り返すことを特徴とするピアツーピア通信を利用した地域内における情報の維持方法が提供される。
【０００８】
上記の情報の維持方法において、前記情報の送信前に、送信元の端末は、送信先の端末に対し、送信要否の問合せをし、前記送信先の端末は、送信されようとしている情報の種類を表す概念情報が自端末が受信を希望する情報の種類を表す概念情報と合致しない場合には、前記送信元の端末に対し、送信不要の応答を返し、前記送信元の端末は、前記送信不要の応答が返ってきた場合には、前記情報の送信を行わないようにしてもよい。
【０００９】
上記の維持方法において、前記情報の送信前に、送信元の端末は、送信先の端末に対し、送信要否の問合せをし、前記送信先の端末は、送信されようとしている情報の発信元を表す地域識別情報が自端末が存在する場所を表す地域識別情報と合致しない場合には、前記送信元の端末に対し、送信不要の応答を返し、前記送信元の端末は、前記送信不要の応答が返ってきた場合には、前記情報の送信を行わないようにしてもよい。
【００１０】
上記の情報の維持方法において、前記情報の送信前に、送信元の端末は、送信先の端末に対し、送信要否の問合せをし、前記送信先の端末は、送信されようとしている情報が既に受信したものである場合には、前記送信元の端末に対し、送信不要の応答を返し、前記送信元の端末は、前記送信不要の応答が返ってきた場合には、前記情報の送信を行わないようにしてもよい。
【００１１】
上記の情報の維持方法において、情報を保持する端末は、自端末が保持する情報の発信元を表す地域識別情報が自端末が存在する場所を表す地域識別情報と合致しなくなった場合には、その情報を削除するようにしてもよい。
【００１２】
上記の情報の維持方法において、情報を保持する端末は、複数の情報を受信し、情報の総容量が所定量を超えた場合には、情報の発生日時が古い順、情報の重要度が低い順又はそれらに基づいた評価量が低い順に情報を削除することにより、情報の総容量を前記所定量以下にするようにしてもよい。
【００１３】
上記の情報の維持方法において、前記端末には、移動端末が含まれるようにしてもよい。
【００１４】
上記の情報の維持方法において、前記端末には、固定端末も含まれ、前記固定端末は、受信した情報を複数地域の情報を一括する装置に送信するようにしてもよい。
【００１５】
上記の情報の維持方法において、前記端末には、固定端末も含まれ、前記固定端末は、複数地域の情報を一括する装置から自端末が属する地域の情報を受信し、その情報を地域内の他の端末に送信するようにしてもよい。
【発明の効果】
【００１６】
本発明によれば、ある端末から他の端末にピアツーピア通信により情報を送信し、該他の端末が更に他の端末にピアツーピア通信により前記情報を送信することを所定の地域内において繰り返すので、サーバを用いず地域情報を所定の地域において維持することが可能となる。
【発明を実施するための最良の形態】
【００１７】
以下、図面を参照して本発明を実施するための最良の形態について詳細に説明する。
【００１８】
本発明は、ピアツーピア通信を利用した地域情報の維持方法において、移動する端末がピアツーピア通信により、その地域の情報をその地域に滞在する端末、または新しくその地域に入ってくる端末に次から次へと無線送信する。端末の情報が、次から次へとその地域に滞在する端末、またはその地域に入ってくる端末に受け継がれるので、その地域の重要または必要な情報が消去されることなく維持されることを特徴としている。
【００１９】
「ピアツーピア通信」は端末間で無線通信により行われ、端末同士が無線通信可能な状態になると情報を発信したい端末が、同じ地域の他の端末に対して、発信したい端末の保有する情報を必要とするか又は他の端末がどんな情報を持っているのか尋ねる質問コマンドを送信して情報を受信可能な端末又は受信したい端末に応答を求めるか、情報を受信したい端末が、同じ地域の他の端末に対してどんな情報を持っているのか質問コマンドを送信して情報を送信可能な端末又は送信したい端末に応答を求める。
【００２０】
前者の場合に、情報を発信したい端末は情報を受信可能な端末又は受信したい端末から応答をもらう。発信したい端末の保有する情報を必要とする応答を受けると情報を発信したい端末は、情報を受信可能又は受信したいと応答を返した端末へ保持している情報を応答に基づき発信する。また、情報を受信可能な端末又は受信したい端末は複数存在しても良く、複数の受信可能な端末又は受信したい端末からの複数の応答を受信した場合は、情報を発信したい端末は、情報を複数の受信可能な端末又は受信したい端末の各々へ保持している情報を各々の応答に基づき順次送信する。
【００２１】
後者の場合に、情報を受信したい端末は、情報を発信したい端末に、応答を返す。情報を発信したい端末は、情報を受信可能又は受信したい端末で応答を返した端末に保持している情報を応答に基づき配信する。また、情報を発信したい端末は複数存在しても良く、複数の発信したい端末からの複数の応答を受信した場合は、情報を受信したい端末は、情報を発信したい複数の端末の各々へ応答をかえす。情報を発信したい複数の端末の各々は、保持している情報を各々の応答に基づき順次送信する。
【００２２】
次に図を用いて説明する。図１は、移動端末Ａが持っている地域情報Ｉａを移動端末Ａ→移動端末Ｂへ送信、次に移動端末Ａ→移動端末Ｄへ送信、移動端末Ｂは地域情報Ｉａの配信者になり移動端末Ｂ→移動端末Ｃへ送信、次に移動端末Ｃは地域情報Ｉａの配信者になり移動端末Ｃ→移動端末Ｅへ送信、移動端末Ｃ→移動端末Ｆへ送信、次に移動端末Ｆは地域情報Ｉａの配信者になり移動端末Ｇが地域内に入ってきたので移動端末Ｆ→移動端末Ｇへ送信を行おうとしている状況に至る情報伝達形態を示している。また、移動端末Ｈは地域外に出たため不要となった地域情報Ｉａを廃棄した。地域内であるか又は地域外であるかは、例えば、その移動端末が存在するセルを配下に置く基地局の識別情報、基地局管理装置の識別情報又は複数の基地局管理装置に共通な識別情報に基づいて行う。
【００２３】
図２は、図１の情報伝達形態をシーケンス図として示したものである。地域情報Ｉａを持つ移動端末Ａは、地域内に滞在している移動端末Ｂと相互に端末同士で無線通信可能な状態になると、情報Ｉａを発信したい移動端末Ａが移動端末Ｂに対して、移動端末Ａの保有する情報Ｉａを必要とするか又は移動端末Ｂがどんな情報を持っているのか尋ねる質問コマンドを送信して、移動端末Ｂに応答を求める。移動端末Ｂより移動端末Ａの保有する情報Ｉａを必要とする応答を受けると移動端末Ａは、移動端末Ｂへ保持している情報Ｉａを応答に基づき発信する。移動端末Ｂは、情報Ｉａが必要なものであるのか否かを、例えば、質問コマンドに含まれている情報の種類を表す識別情報、質問コマンドに含まれている情報Ｉａのタイトル等（これらを概念情報ということにする（図９（ａ）参照）。）に基づいて判断する（ステップＳ２０１（図６）参照）。
【００２４】
また、移動端末Ａは地域内に滞在している移動端末Ｄと相互に端末同士で無線通信可能な状態になると、情報Ｉａを発信したい移動端末Ａが移動端末Ｄに対して、移動端末Ａの保有する情報Ｉａを必要とするか又は移動端末Ｄがどんな情報を持っているのか尋ねる質問コマンドを送信して、移動端末Ｄに応答を求める。移動端末Ｄより移動端末Ａの保有する情報Ｉａを必要とする応答を受けると移動端末Ａは、移動端末Ｄへ保持している情報Ｉａを応答に基づき発信する。
【００２５】
この様に、移動端末Ａは地域内に滞在している別な移動端末と相互に端末同士が無線通信可能な状態になると、情報Ｉａを発信したい移動端末Ａが別な移動端末に質問コマンドを送信して、別な移動端末に応答を求め、応答に基づき発信する動作を繰り返す。
【００２６】
次に、情報Ｉａを取得した移動端末Ｂは、地域内に滞在している移動端末Ｃと相互に端末同士で無線通信可能な状態になると、情報Ｉａを発信したい移動端末Ｂが移動端末Ｃに対して、移動端末Ｂの保有する情報Ｉａを必要とするか又は移動端末Ｃがどんな情報を持っているのか尋ねる質問コマンドを送信して、移動端末Ｃに応答を求める。移動端末Ｃより移動端末Ｂの保有する情報Ｉａを必要とする応答を受けると移動端末Ｂは、移動端末Ｃへ保持している情報Ｉａを応答に基づき発信する。
【００２７】
更に、移動端末Ｂは地域内に滞在している別な移動端末と相互に端末同士が無線通信可能な状態になると、情報Ｉａを発信したい移動端末Ｂが別な移動端末に質問コマンドを送信して、別な移動端末に応答を求め、応答に基づき発信する動作を繰り返す。
【００２８】
次に、情報Ｉａを取得した移動端末Ｃは、前述と同様にして移動端末Ｅ、移動端末Ｆへ情報Ｉａを発信する。そして、移動端末Ｃも地域内に滞在している別な移動端末と相互に端末同士が無線通信可能な状態になると、情報Ｉａを発信したい移動端末Ｃが別な移動端末に質問コマンドを送信して、別な移動端末に応答を求め、応答に基づき発信する動作を繰り返す。
【００２９】
これまで説明した様に、情報を保有する移動端末が別な移動端末に情報を発信し、これを繰り返すと同時に、情報を取得した別な移動端末が情報の発信を繰り返す様になり、次から次へと情報を取得した移動端末が別な移動端末へ情報を発信する動作を繰り返すことにより、地域内の移動端末には情報Ｉａが共有維持される。
【００３０】
また、地域外に出た移動端末Ｈは保有していた情報Ｉａを廃棄する。つまり、図７に示すように、現在の場所の地域識別情報を取得し（ステップＳ２２１）、情報Ｉａの発信元を表す地域識別情報が現在の場所の地域識別情報と合致するか否かを判断し（ステップＳ２２５）、合致していなければ（ステップＳ２２５でＮＯ）、情報Ｉａを廃棄する（ステップＳ２２７）。各移動端末は、一般には複数の情報を保有しているので、この処理を保有している全ての情報について繰り返す（ステップＳ２２３）。図７に示す処理は、例えば、定期的に行う。
【００３１】
図３は、図１の情報伝達形態をシーケンス図として示したものである。
【００３２】
地域情報Ｉａを持つ移動端末Ａは、地域内に滞在している移動端末Ｂと相互に端末同士で無線通信可能な状態になると、情報Ｉａを発信したい移動端末Ａが移動端末Ｂに対して、移動端末Ａの保有する情報Ｉａを必要とするか又は移動端末Ｂがどんな情報を持っているのか尋ねる質問コマンドを送信して、移動端末Ｂに応答を求める。移動端末Ｂより移動端末Ａの保有する情報Ｉａを必要とする応答を受けると移動端末Ａは、移動端末Ｂへ保持している情報Ｉａを応答に基づき発信する。
【００３３】
また、移動端末Ａは地域内に滞在している移動端末Ｄと相互に端末同士で無線通信可能な状態になると、情報Ｉａを発信したい移動端末Ａが移動端末Ｄに対して、移動端末Ａの保有する情報Ｉａを必要とするか又は移動端末Ｄがどんな情報を持っているのか尋ねる質問コマンドを送信して、移動端末Ｄに応答を求める。移動端末Ｄより移動端末Ａの保有する情報Ｉａを必要とする応答を受けると移動端末Ａは、移動端末Ｄへ保持している情報Ｉａを応答に基づき発信する。
【００３４】
次に、情報Ｉａを取得した移動端末Ｂは、地域内に滞在している移動端末Ｃと相互に端末同士で無線通信可能な状態になると、情報Ｉａを発信したい移動端末Ｂが移動端末Ｃに対して、移動端末Ｂの保有する情報Ｉａを必要とするか又は移動端末Ｃがどんな情報を持っているのか尋ねる質問コマンドを送信して、移動端末Ｃに応答を求める。移動端末Ｃより移動端末Ｂの保有する情報Ｉａを必要とする応答を受けると移動端末Ｂは、移動端末Ｃへ保持している情報Ｉａを応答に基づき発信する。
【００３５】
この状態で、移動端末Ａは地域内に滞在している移動端末Ｃと相互に端末同士で無線通信可能な状態になると、情報Ｉａを発信したい移動端末Ａが移動端末Ｃに対して、移動端末Ａの保有する情報Ｉａを必要とするか又は移動端末Ｃがどんな情報を持っているのか尋ねる質問コマンドを送信して、移動端末Ｃに応答を求める。移動端末Ｃはこの時既に情報Ｉａを取得している為、移動端末Ａの保有する情報Ｉａは不要とする応答を受けると移動端末Ａは、移動端末Ｃへの情報Ｉａの発信は取り止める。既に情報Ｉａを取得しているか否かは情報Ｉａの識別情報に基づいて判断する（ステップＳ２０５（図６）参照）。情報Ｉａの識別情報は、例えば、情報Ｉａを最初に発信した移動端末の識別情報と発信日時より成る。
【００３６】
また、移動端末Ｂは地域内に滞在している移動端末Ｄと相互に端末同士で無線通信可能な状態になると、情報Ｉａを発信したい移動端末Ｂが移動端末Ｄに対して、移動端末Ｂの保有する情報Ｉａを必要とするか又は移動端末Ｄがどんな情報を持っているのか尋ねる質問コマンドを送信して、移動端末Ｄに応答を求める。移動端末Ｄはこの時既に情報Ｉａを取得している為、移動端末Ｂの保有する情報Ｉａは不要とする応答を受けると移動端末Ｂは、移動端末Ｄへの情報Ｉａの発信は取り止める。
【００３７】
また、情報を発信する端末は、情報の発信元地域識別情報が現在の場所の地域識別情報と合致する場合にのみ、その情報を発信する。他の方法として、情報要否問合せを受けた端末は、その問合せに含まれる地域識別情報（情報の発信元の地域を表す識別情報）を現在の場所の地域識別情報と合致する場合にのみ、情報が必要であるという返事を出すようにしても良い（ステップＳ２０３（図６）参照）。
【００３８】
図４は、移動端末Ａが持っている地域情報Ｉａを移動端末Ａ→固定端末Ｋへ送信、次に移動端末Ａ→移動端末Ｄへ送信、固定端末Ｋは地域情報Ｉａの配信者になり固定端末Ｋ→移動端末Ｃへ送信、次に移動端末Ｃは地域情報Ｉａの配信者になり移動端末Ｃ→移動端末Ｅへ送信、移動端末Ｃ→移動端末Ｆへ送信、次に移動端末Ｆは地域情報Ｉａの配信者になり移動端末Ｇが地域内に入ってきたので移動端末Ｆ→移動端末Ｇへ送信を行おうとしている状況に至る情報伝達形態を示している。また、移動端末Ｈは地域外に出たため不要となった地域情報Ｉａを廃棄した（図７参照）。
【００３９】
図５は、図４の情報伝達形態をシーケンス図として示したものである。地域情報Ｉａを持つ移動端末Ａは、地域内に存在している固定端末Ｋと相互に端末同士で無線通信可能な状態になると、情報Ｉａを発信したい移動端末Ａが固定端末Ｋに対して、移動端末Ａの保有する情報Ｉａを必要とするか又は固定端末Ｋがどんな情報を持っているのか尋ねる質問コマンドを送信して、固定端末Ｋに応答を求める。固定端末Ｋより移動端末Ａの保有する情報Ｉａを必要とする応答を受けると移動端末Ａは、固定端末Ｋへ保持している情報Ｉａを応答に基づき発信する。
【００４０】
また、移動端末Ａは地域内に滞在している移動端末Ｄと相互に端末同士で無線通信可能な状態になると、情報Ｉａを発信したい移動端末Ａが移動端末Ｄに対して、移動端末Ａの保有する情報Ｉａを必要とするか又は移動端末Ｄがどんな情報を持っているのか尋ねる質問コマンドを送信して、移動端末Ｄに応答を求める。移動端末Ｄより移動端末Ａの保有する情報Ｉａを必要とする応答を受けると移動端末Ａは、移動端末Ｄへ保持している情報Ｉａを応答に基づき発信する。
【００４１】
この様に、移動端末Ａは地域内に滞在している別な移動端末と相互に端末同士が無線通信可能な状態になると、情報Ｉａを発信したい移動端末Ａが別な移動端末に質問コマンドを送信して、別な移動端末に応答を求め、応答に基づき発信する動作を繰り返す。
【００４２】
次に、情報Ｉａを取得した固定端末Ｋは、地域内に滞在している移動端末Ｃと相互に端末同士で無線通信可能な状態になると、情報Ｉａを発信したい固定端末Ｋが移動端末Ｃに対して、固定端末Ｋの保有する情報Ｉａを必要とするか又は移動端末Ｃがどんな情報を持っているのか尋ねる質問コマンドを送信して、移動端末Ｃに応答を求める。移動端末Ｃより固定端末Ｋの保有する情報Ｉａを必要とする応答を受けると固定端末Ｋは、移動端末Ｃへ保持している情報Ｉａを応答に基づき発信する。
【００４３】
更に、固定端末Ｋは地域内に滞在している別な移動端末と相互に端末同士が無線通信可能な状態になると、情報Ｉａを発信したい固定端末Ｋが別な移動端末に質問コマンドを送信して、別な移動端末に応答を求め、応答に基づき発信する動作を繰り返す。
【００４４】
次に、情報Ｉａを取得した移動端末Ｃは、前述と同様にして移動端末Ｅ、移動端末Ｆへ情報Ｉａを発信する。そして、移動端末Ｃも地域内に滞在している別な移動端末と相互に端末同士が無線通信可能な状態になると、情報Ｉａを発信したい移動端末Ｃが別な移動端末に質問コマンドを送信して、別な移動端末に応答を求め、応答に基づき発信する動作を繰り返す。
【００４５】
これまで説明した様に、情報を保有する移動端末又は固定端末が別な移動端末又は固定端末に情報を発信し、これを繰り返すと同時に、情報を取得した別な移動端末又は固定端末が情報の発信を繰り返す様になり、次から次へと情報を取得した移動端末又は固定端末が別な移動端末又は固定端末へ情報を発信する動作を繰り返すことにより、地域内の移動端末又は固定端末には情報Ｉａが共有維持される。
【００４６】
また、地域外に出た移動端末Ｈは保有していた情報Ｉａを廃棄する（図７参照）。
【００４７】
「地域」は、車が交通渋滞している地域、集中豪雨や雷雨が発生している地域、地震が発生した地域のように、発生し、消去し、移動する一定の領域である。また、１棟のビル、施設会場、工場敷地、行政区画を地域としても良く、その場合は固定された領域となる。また、「地域」は、ある特定の概念を持ち、その地域を識別するための地域識別情報（例えば、上述したような移動端末が存在するセルを配下に置く基地局の識別情報、基地局管理装置の識別情報又は複数の基地局管理装置に共通な識別情報等）を持ち、概念情報（例えば、上述したような情報の種類を表す識別情報、質問コマンドに含まれている情報のタイトル等）及び地域識別子は情報の中にある定められた形式で埋め込まれるものである。情報要否の問合せをする時には、問合せに概念情報と地域識別情報を含ませておく（図９参照）。概念情報及び地域識別子は階層構造を持っていてもよい。また、ある場所が同時に複数の地域に属することからその地域の情報を取得するのに複数の地域のそれぞれから情報を入手することもできる。即ち東京都港区三田に位置する場合、南関東地域、東京都、港区、三田地区の各地域に同時に属すことになり、これらの全てから情報を入手することもできる。また、地域識別情報の入手については、どのような形で入手してもよく、地域名称を固定端末からの配信で入手したり、他の移動端末が持っている地域名称を入手したり、情報利用者自ら指定したり、一定時間毎に「地域」情報を内外から入手して更新する方法を採用したり、別システムから「地域」情報が変更となる度に更新情報を入手したり、様々な入手方法がある。
【００４８】
「情報」は、その地域の道路交通情報や気象情報などの情報、またはその地域向けの情報、その地域で発生した各種情報、またはその地域外から入手した各種情報、情報提供者から地域へ提供される情報など、様々な情報がある。情報は、端末が選択した「地域」によりその概念情報や地域識別子によって識別され入手できる情報である。また、情報はその形式を問わず、相互に通信できるものであれば動画、静止画、音声、ドキュメント、データの各種データ形式のものを許容する。情報は、その情報のプロファイルを示す情報を併せ持ち、発生時刻、著作者、提供元、有効期限、データ形式、容量、その他などの情報を必要に応じて提供するものとする。有効期限が到来したならば、地域内であっても情報の伝搬を中止するようにしてもよい。
【００４９】
「移動端末」は、車に実装された端末、歩行者が携帯する端末のように移動する。端末は、他の端末からピアツーピア通信により受信した情報を蓄積し、該端末が定めるある条件に基づき保存・廃棄を行う。端末は、他の端末と出会うと保持している情報のリストを交換し、相互の過不足に応じて情報交換を行う。
【００５０】
端末は、他の端末からピアツーピア通信により受信した情報に、新しい情報を加えて発信しても良い。その場合、予め発信する情報量を決めておき、その情報量を超えた場合は、情報の古い順、重要度の低い順、または両方を組み合わせて情報を消去する。
【００５１】
その地域の情報を受信した端末は、その情報が新規な情報なら、その情報の重要度または必要度に応じて情報の保持、廃棄を決定する。その情報が過去に受信した情報なら、廃棄する。また、予め保持する情報量を決めておき、その情報量を超えた場合は、情報の古い順、地域に対し重要度または必要度の低い順、または両方を組み合わせて情報を消去する。その地域に関係のない情報は重要度または必要度が低い情報とみなし消去され、その地域の情報が選別されて残る。具体的には、図８を参照すると、情報の総容量が所定の容量を超えた場合には（ステップＳ２４１でＹＥＳ）、情報の日時順、重要度順又はそれらの組合わせに基づく評価量の順に基づいて情報をソートし（ステップＳ２４３）、総容量が所定の容量以下になるまで（ステップＳ２４７）、情報の古い順、重要度の低い順又は評価量の低い順に情報を削除する（ステップＳ２４５）。また、重要度は、例えば、情報の種類に応じて決めてもよく、情報の入力者が与えても良い。
【００５２】
端末間のピアツーピア通信は、近距離通信が可能な無線電力レベルにより行われる。高速で走る自動車に搭載された端末のように端末の移動速度が速い場合、または地域に存在する端末数が少ない場合は、数１００メートルの近距離通信が可能な無線電力レベルが必要である。歩行者が所持する端末のように端末の移動速度が遅い場合、または渋滞する車に実装された端末のように地域に存在する端末数が多い場合は、１００メートル以内の近距離通信が可能な無線電力レベルでも良い。
【００５３】
その地域に関係のない情報は重要度が低い情報とみなされる為消去され、さらに近距離通信によるピアツーピア通信を用いる為、一定の領域内の端末が一定の情報を保持した地域が発生する。
【００５４】
特定の場所に、ピアツーピア通信を行う固定端末を用意する。移動する端末とピアツーピア通信を行い、その地域の情報を保持する。移動する端末の数が少なく、移動する端末のみでその地域の情報の維持が不可能な場合に、固定する端末がピアツーピア通信でその地域に入ってくる端末に保持した情報を発信する。
【００５５】
また、特定の場所に、地域情報の収集、地域情報の発信を行う固定端末を用意する。固定端末はピアツーピア通信で移動する端末から地域情報を収集する。収集した情報をインターネット等の通信回線により中央情報局に送信する。中央情報局は複数の地域からの情報を、全国の情報として１個の情報にまとめ、通信回線により全国の端末に提供する。さらに、その固定端末は、移動する端末にピアツーピア通信で地域情報を情報発信する。中央情報局などで作成された地域情報を、通信回線により固定端末に送り、固定端末は移動する端末にピアツーピア通信で送信する。
【００５６】
以上説明したように、本実施形態においては、以下に記載するような効果を奏する。
【００５７】
第１の効果は、移動する端末がピアツーピア通信により相互に通信し情報の順次伝播をしているので、その地域の情報をその地域に維持できることである。
【００５８】
第２の効果は、その地域に関係のない情報は重要度が低い情報とみなされる為端末から消去され、その地域に関係する情報が取捨選択による洗練化がなされ残存する。されてさらに近距離通信によるピアツーピア通信を用いているので、一定の領域内の端末が一定の情報を保持した地域が発生できることである。
【００５９】
第３の効果は、その地域の情報を受信した端末は、その情報が新規な情報なら、その情報の重要度に応じて情報の保持、廃棄を決定しているので、その地域の情報を選別して残すことができることである。
【００６０】
第４の効果は、特定の場所にピアツーピア通信を行う固定端末を用意するので、移動する端末の数が少なく、移動する端末のみでその地域の情報の維持が不可能な場合に、固定する端末がピアツーピア通信でその地域情報を維持しておき、その地域に入ってくる端末に保持した情報を発信することで、情報維持を補完することができる。
【産業上の利用可能性】
【００６１】
本発明は、例えば、地域におけるリアルタイムコミュニケーション又は道路交通情報の共有、地域情報の共有、イベント情報の共有等に利用することができる。
【図面の簡単な説明】
【００６２】
【図１】本発明の実施形態による、端末が移動端末のみである場合のピアツーピア通信を利用した地域内における情報の維持方法による情報の伝達の仕方を示す概念図である。
【図２】図１に示す情報の伝達に対応した各端末の処理を示すシーケンス図である。
【図３】図１に示す情報の伝達に対応した各端末の処理を示す他のシーケンス図である。
【図４】本発明の実施形態による、端末が移動端末及び固定端末である場合のピアツーピア通信を利用した地域内における情報の維持方法による情報の伝達の仕方を示す概念図である。
【図５】図４に示す情報の伝達に対応した各端末の処理を示すシーケンス図である。
【図６】図２、３及び５に示す要否確認の処理の詳細を示すフローチャートである。
【図７】本発明の実施形態による端末が情報を削除する第１の方法を示すフローチャートである。
【図８】本発明の実施形態による端末が情報を削除する第２の方法を示すフローチャートである。
【図９】（ａ）は質問コマンドの構成を示し、（ｂ）は送信される情報本体とそれに付随する種々の情報を示す。
【符号の説明】
【００６３】
Ａ、Ｂ、Ｃ、Ｄ、Ｅ、Ｆ、Ｇ、Ｈ、Ｊ  移動端末
Ｋ  固定端末
【図１】
2006270807.tif 000003
【図２】
2006270807.tif 000004
【図３】
2006270807.tif 000005
【図４】
2006270807.tif 000006
【図５】
2006270807.tif 000007
【図６】
2006270807.tif 000008
【図７】
2006270807.tif 000009
【図８】
2006270807.tif 000010
【図９】
2006270807.tif 000011